(57)【特許請求の範囲】
【請求項１】
ダイナモ本体を第一軸に固定し、該第一軸に固定したダイナモ本体をバネによって使用状態である傾斜方向に付勢するとともに、第二軸に軸支した係止杆の先端部分をダイナモ本体の一部もしくはダイナモ本体を固定している部材に当接させ、ダイナモ本体を不使用位置に係止するものであって、
操作端を遠隔位置に配置したワイヤーを押し出すことによって、ダイナモ本体を付勢しているバネの弾発力に抗して、係止杆をダイナモ本体の不使用係止位置から回動させ、ダイナモ本体をバネの弾発力によって使用位置に回動させるとともに、ワイヤーの引っ張り力によって係止杆を回動させてダイナモ本体を使用位置から不使用位置に回動させ係止杆によって不使用位置に係止させる自転車用ダイナモにおいて、
遠隔位置に配置するワイヤーの操作部は、台板と台板に対して回動する操作板とで構成し、一端を操作板の一部に固定したワイヤーを巻回させた状態で台板の開口部から外部に導出し、操作板の回動操作によってワイヤーの押し出し及び引っ張り操作を行うものとし、
台板に指掛け部を突出形成するとともに操作板に指掛け部を突出形成し、手指によって前記台板の指掛け部と操作板の指掛け部の挟持操作によってワイヤーの引っ張り操作を行うことを特徴とする自転車用ダイナモの起倒装置。
【請求項２】
操作板に外周が開放されたワイヤーを巻回させるためのガイド溝を形成するとともに、台板に前記ガイド溝の外周を囲繞するガイド壁を備えた金属製のガイド部材を設け、該ガイド部材のガイド壁と前記ガイド溝とでワイヤーの通路を形成し、広がろうとするワイヤーを金属製のガイド壁によって支受させることを特徴とする請求項１記載の自転車用ダイナモの起倒装置。
【発明の詳細な説明】
【技術分野】
【０００１】
この発明は、自転車用前照灯のダイナモを、遠隔操作によって使用状態と不使用状態に切り替えることができる、自転車用ダイナモの起倒装置に関する発明である。
【背景技術】
【０００２】
自転車用ダイナモの一般的な構造は、使用時においてダイナモ本体をバネによって倒す方向に付勢し、例えばダイナモ本体の転子を前輪に押し付けて発電し、不使用時はダイナモ本体を起こし、係止杆などのロック手段によって、不使用位置に係止させている。
上記、自転車用ダイナモは、ダイナモ本体に付設させた切り替えレバーを、手で直接操作することによって使用時の状態と不使用時の状態を切り替えるようにしている。このような切り替え方法では、一々自転車を降りて操作する必要がある。この不便を解消するため、本発明者は特許文献１に開示されるように、手元操作によってダイナモの使用位置と不使用位置を切り替える、切り替え装置を発明している。
【０００３】
特許文献１に開示される自転車用ダイナモの切り替え装置は、手元の操作レバーとダイナモを連結ロッドで連結して、切り替え操作を行うことができるようにしている。また、特許文献２に開示されるように、手元の操作手段とダイナモをワイヤーによって連結し、切り替え操作を行うものが提案されている。
【特許文献１】特開２００４−２３７８２３号公報
【特許文献２】実開昭６２−１８５１８７号公報
【特許文献３】実開平０３−１０８５９２号公報
【発明の開示】
【発明が解決しようとする課題】
【０００４】
特許文献１ないし３に開示される発明はいずれも手元でダイナモの切り替え動作を行うことができるものであるが、特許文献１及び３に記載された発明は、手元の操作手段とダイナモを連結ロッドで連結して操作を行うようにしている。このようなものでは、連結ロッドの配置と操作手段の配置が制限され、操作手段の位置を自由に決定することができないとともに、構造上高価なものとなる。
【０００５】
特許文献２に開示されるダイナモの切り替え構造は、ダイナモを常時バネによって、ダイナモの使用位置である傾斜方向に付勢し、ワイヤーによってダイナモを引起すことによって不使用状態を維持するようにしている。この発明では、ハンドルに備えた操作手段とダイナモをワイヤーによって連結してダイナモ本体の起倒動作を行うため、前記連結ロッドの連結による欠点を解消することができる。
【０００６】
しかしながら、ダイナモを引起した不使用状態において、ダイナモを傾斜方向に付勢するバネの弾発力に抗して、常時ワイヤーに引っ張り力が作用した状態となる。この発明では、常時ワイヤーに負担が掛かった状態となり、長期の使用によってワイヤーが伸びる可能性があるとともに、ワイヤーを引っ張った状態に保持する手元の操作手段が破損し易い欠点があった。
【０００７】
本発明は、上記、従来技術の欠点に鑑み、ワイヤーを使用する自転車用ダイナモの起倒装置であって、ワイヤーに対して常時引っ張り力が作用するようなことがなく、耐久性に優れ、長期間に亘って安定した状態で使用することができ、操作性に優れた自転車用ダイナモの起倒装置を実現することを目的とするものである。
【課題を解決するための手段】
【０００８】
本発明に係るダイナモは、ダイナモ本体１を第一軸２に固定し、この第一軸２に固定したダイナモ本体１をバネ３によって使用状態である傾斜方向に付勢する。さらに、第二軸４に軸支した係止杆５の先端部分をダイナモ本体１もしくはダイナモ本体１を固定している部材に当接させ、ダイナモ本体１を不使用位置に係止する。
【０００９】
そして、操作端を遠隔位置に配置したワイヤー６を押し出すことによって、ダイナモ本体１を付勢しているバネ３の弾発力に抗して、係止杆５をダイナモ本体１の不使用係止位置から回動させ、ダイナモ本体１を使用位置に回動させる。また，ダイナモ本体１が使用位置にあるときに、ワイヤー６の引っ張り力によって係止杆５を回動させる。これにより、ダイナモ本体１を、使用位置から不使用位置に回動させ、係止杆５によって不使用位置に保持させる。
【００１０】
さらに、遠隔位置に配置するワイヤー６の操作部を、台板７と台板７に対して回動する操作板８とで構成する。ワイヤーの一端は、操作板８の一部に固定し、操作板８の内部においてワイヤー６を巻回させて、台板７の開口部９から外部に導出し、操作板８の回動操作によってワイヤー６の押し出し及び引っ張り操作を行う自転車用ダイナモの起倒装置に係る発明である。
【００１１】
請求項１記載の発明は、台板７に指掛け部10を突出形成するとともに、操作板８に指掛け部11を突出形成し、手指によって台板７の指掛け部10と、操作板８の指掛け部11の挟持操作によって、ワイヤー６の引っ張り操作を行うことである。
【００１２】
請求項２記載の発明は、請求項１記載の発明において、操作板８に外周が開放されたワイヤー６を巻回させるためのガイド溝を形成するとともに、台板７に前記ガイド溝の外周を囲繞するガイド壁12aを備えた金属製のガイド部材12を設け、ガイド部材12のガイド壁12aと、操作板８に形成したガイド溝24とでワイヤー６の通路を形成する。そして、通路内で広がろうとするワイヤー６を金属製であるガイド部材12のガイド壁12aによって支受させることである。
【発明の効果】
【００１３】
本発明に係る自転車用ダイナモの起倒装置は、ワイヤーの押し出し操作によってダイナモ本体を不使用位置に係止している係止杆５を回動させる。これにより、ダイナモ本体１は、バネ３の弾発力によって使用状態である傾斜方向に付勢される。このとき、ワイヤー６には、外力が作用しない。
ダイナモ本体１を使用位置から不使用位置に変更するには、ワイヤー６の引っ張り力によって係止杆５を回動させる。これによって、ダイナモ本体１は、使用位置から不使用位置に回動され、係止杆５によって不使用位置に係止される。係止杆５によってダイナモ本体１が不使用位置に係止されると、ワイヤー６には引っ張り力 (外力)は作用しない。このように、操作時以外に、ワイヤー６に対して外力が作用しないため、ワイヤーの伸びや疲労、あるいは操作部分に常に力が作用することがなく、安定した作動状態を維持することができるものである。
【００１４】
また、ワイヤー６の押し出し及び引っ張り操作は、ハンドルなどの遠隔位置に配置する操作手段である操作板８の回動操作によって実施する。
【００１５】
上記、自転車用ダイナモの起倒装置において、請求項１記載の発明によれば、台板７の指掛け部10と、操作板８の指掛け部11を挟持するような、簡単かつ有効に力が作用する状態でワイヤーの引っ張り操作を行うことができる。
【００１６】
請求項２記載の発明によれば、台板７と操作板８で構成する操作部分において、ワイヤーの一端である操作部を安定良く配置し、安定した操作状態を実現することができるとともに、ワイヤー６自身の弾発力によって広がろうとする力を、金属製のガイド部材12のガイド壁12aに支受させることによって、耐久性を向上させることができる。
【発明を実施するための最良の形態】
【００１７】
以下、本発明に係る自転車用ダイナモの起倒装置の実施形態を、添付の図面に基づいて説明する。
図１ないし図３は、本発明に係るダイナモの起倒機構の実施形態を示す一部縦断の側面図であって、図１はダイナモ本体を起こした不使用状態、図２はワイヤーを押し出した状態、図３はダイナモ本体を倒した使用状態を示している。図４はダイナモ全体の背面図、図５はダイナモ全体の正面図である。
【００１８】
ダイナモ本体１は第一軸２に固定され、第一軸２が回動することによって起伏動作を行う。第一軸２は、ダイナモ本体１の取付け台13に軸支されているとともに、取付け台13には、第一軸２と平行に第二軸４を設けている。ダイナモ本体１が固定される第一軸には、直径方向に貫通させた作動杆14を固定し、第一軸２を巻回させたバネ３の一端を前記作動杆14の基端に固定するとともに、バネ３の他端を取付け台13の側壁に当接させる。さらに、作動杆14の先端部は、第二軸４に軸支した係止杆５の先端に係止させている。
【００１９】
上記構成とすることによって、ダイナモ本体１はバネ３の弾発力で、ダイナモ本体１の使用位置である図面上の左回動方向に付勢され、作動杆14の先端部分を係止杆５の先端で係止することによって、図１に示すダイナモ本体１を起こした不使用位置に保持させている。第二軸４には、弱い力のバネ15を装着し、このバネ15によって図３に示す如く、係止杆５を常に作動杆14に押圧し、自転車走行中の振動などによるガタツキを防止している。
【００２０】
ダイナモ本体１の取付け台13には、別の支持板16を固定し、該支持板16にワイヤー６のワイヤーチューブ6aの一端を固定するとともに、係止杆５の基端部分にワイヤー固定具17を設けている。ワイヤーチューブ6a内を通過させたワイヤー６は、ワイヤー固定具17に固定する。これにより、ワイヤー６の押し出し、もしくは引っ張り操作によって係止杆５の回動操作を行うことができる。
【００２１】
第二軸４に軸支された係止杆５は、先端が作動杆14の先端部分に当接し、基端にワイヤー６の一端が固定されている。そして、図２に点線で示す係止位置では、係止杆５先端部分の回転中心を結ぶ中心線と作動杆14の交差角αが鋭角であって、バネ３による弾発力が係止杆５を係止状態に維持する方向に作用している。しかしながら、ワイヤー６が押し出されて図２に実線で示すように、係止杆５先端部分の回転中心を結ぶ中心線と作動杆14の交差角αが直角になると、バネ３の力は係止杆５に対して回動力として作用せず、角度αが鈍角になると、係止杆５を図面上の右方向に回動させる力として作用する。
【００２２】
すなわち、バネ３の弾発力によってワイヤー６が引き出されて、係止杆５が図３に示すように右方向に回動するとともに、第一軸２が左方向に回動してダイナモ本体１の使用状態となる。このように、ワイヤー６による押し出しは、係止杆５先端部分の回転中心を結ぶ中心線と作動杆14の交差角αが鋭角から鈍角になる僅かな寸法、例えば図２における寸法Ｘを押し出すことによって、ダイナモ本体１の不使用位置から使用位置の切り替えを行なうことができる。
【００２３】
ワイヤーを押し出すことによって力を伝える使用形態では、ワイヤーに対する圧縮方向の力によって座屈現象が発生する可能性があるが、図示例のように短い寸法の押し出しでは、座屈現象の発生を防止して安定的に使用することができる。なお、上記座屈現象を極力避けることから、図示例のように係止杆５を折曲して、ワイヤーチューブから突出したワイヤー６のワイヤー固定具16までの突出寸法Ｙをなるべく小さくするのが好ましい。
図３に示すダイナモ本体の使用状態から、図１に示すダイナモ本体の不使用状態に変更するには、ワイヤー６の通常の使用形態である引っ張り動作によって、係止杆５を引き上げることによって変更することができる。
【００２４】
ワイヤー６の一端は、上記したように係止杆５のワイヤー固定具17に連結されるが、ワイヤー６の他端、すなわち操作端はハンドルの一部などの遠隔位置に配置した操作部に連結され、ワイヤーの押し出し及び引っ張り動作を行う。
ワイヤーの操作部は、図７に示すように、台板７と、台板７に対して回動する操作板８とで構成する。そして、ワイヤー６の一端(操作端)を操作板８の一部に固定し、かつ一定角度(図面上略９０度)ワイヤー６を操作板８に巻回させた状態で台板７に形成した開口部９からガイド孔18を通して外部に導出し、操作板８の回動操作によってワイヤー６の押し出し及び引っ張り操作を行うことができるようにしている。
【００２５】
ワイヤー６の一端を操作板８に固定するには、図９に示すようにワイヤー６の一端に膨出部19を形成し、この膨出部19を凹所20に、着脱自在に嵌め込んで外周方向に引き出すことによって容易に実施することができる。すなわち、操作板の内面に円筒状の溝壁21を形成し、溝壁21の内方位置に凹所20を形成するとともに、一端を凹所に嵌め込んだワイヤー６を、溝壁21を貫通させて外方に引き出し、溝壁21の端面に溝壁21の直径よりも大径である環状の固定板22を固定することで、ワイヤー６の一端を操作板８に固定することができる。すなわち、カップ状に形成した操作板８の内方に溝壁21を設け、ここにワイヤーの一端を装着するとともに、溝壁21の端面に環状の固定板22をビス23などで固定することによって、操作板８に外周が開放されたワイヤー６を巻回させるためのガイド溝24が形成される。
【００２６】
台板７内には、金属製のガイド部材12を配置する。ガイド部材12は、前記ガイド溝24の外周を囲繞することができるガイド壁12aを備えた皿状とし、ワイヤー６を器外に引き出す開口部９に対向する部分に切欠部25を形成し、ワイヤー操作の際に邪魔にならないようにしている。以上の構造とすることによって、操作板８に固定され、ガイド溝24を一定角度周回したワイヤー６が開口部９から器外に導出され、操作板８を回動させることによって、ワイヤー６の押し出し操作と引っ張り操作を行うことができる。
【００２７】
溝壁21と固定板22で形成されるガイド溝24の大きさは、ワイヤー６を通過させることができる大きさであって、大きな隙間を生じない、例えば隙間を0.1mm〜0.5mm程度に設定すると、ワイヤーのガタツキや座屈現象の発生を防止することができる。また、通常鋼製であり、ガイド溝24を巻回されるワイヤー６は、自身の弾性によって広がろうとする力が作用する。このとき、ガイド溝24の外周が金属製のガイド壁12aによって囲繞されているため、ワイヤー６はガイド壁12a面に押し付けられることになる。そのため、滑り易く円滑に操作することができるとともに、台板７や操作板８を合成樹脂製とするものであっても、耐摩耗性に優れたものとすることができる。
【００２８】
台板７と操作板８は回動可能な状態に組立てるものであり、その具体的な構造は種々設計することができる。図示実施形態においては、台板７及び操作板８にそれぞれ中心孔7a，8aを穿設して中心軸部材26を貫通させることによって回動自在としている。中心軸部材26は、台板７と操作板８を貫通する一つの部材であってもよいが、図示例では、操作板８を貫通する中心軸部材26と、台板７を貫通する下軸部材29で構成し、金属製のガイド部材12の中心部にビス孔27の他、複数の扇形(弧状)といった部分的な貫通孔28，28を穿設するとともに、下軸部材29の先端面に貫通孔28に一致する形状の突起30，30を形成しておき、突起30を貫通孔28に嵌合させた状態でビス31止めすることによって、台板７と皿状のガイド部材12の位置決めをしている。
【００２９】
なお、下軸部材29は、合成樹脂製とし、自転車のハンドルに取り付けることができるように、環状のベルト部32を一体に形成している。また、台板７にはワイヤー６を器外に導出する開口部９の延長方向に締付け部33を設け、ワイヤー６のワイヤーチューブ6aを固定することができるようにしている。
【００３０】
ハンドルなどの遠隔位置に固定する操作部の台板７には、外周方向に突出する指掛け部10が突出形成してある。また、台板７に対して回動する操作板８にも、外周方向に突出する指掛け部11を突出形成している。したがって、上記二つの指掛け部を挟持する如く操作することによって、操作板８を容易に回動操作をすることができる。指掛け部10と11との開き角度βは、操作の利便性を考慮して略６０度程度とし、略６０度から略３０度の範囲で操作できるようにすることによって、使い勝手のよいものとすることができた。
【００３１】
その他、図４において、34はダイナモ本体１の転子、35はランプ支持杆であって、ランプ支持杆35の基端部は第一軸２などの取付け台13に固定し、先端にランプ36を装着するものである。取付け台13は、ワイヤーチューブ6aを固定している支持板16とともに、自転車フレームの前輪部所定位置に固定する。
【図面の簡単な説明】
【００３２】
【図１】図１は、ダイナモ本体を起こした不使用状態を示す、ダイナモの起倒機構のみの一部縦断側面図、
【図２】図２は、ワイヤーを押し出した直後の状態を示す、ダイナモの起倒機構のみの一部縦断側面図、
【図３】、図３はダイナモ本体を倒した使用状態を示す、ダイナモの起倒機構のみの一部縦断側面図、
【図４】図４は、ダイナモ全体の背面図、
【図５】図５は、ダイナモ全体の正面図、
【図６】図６は、ダイナモ起倒装置の操作部のみの平面図、
【図７】図７は、ダイナモ起倒装置の操作部の分解斜視図、
【図８】図８は、ダイナモ起倒装置の操作部の縦断面図、
【図９】図９は、ダイナモ起倒装置の操作部の横断面図。
【００３３】
１…ダイナモ本体、  ２…第一軸、  ３…バネ、  ４…第二軸、  ５…係止杆、  ６…ワイヤー、  6a…ワイヤーチューブ、  ７…台板、  7a，8a…中心孔、  ８…操作板、  ９…開口部、  10，11…指掛け部、  12…ガイド部材、  12a…ガイド壁、  13…取付け台、  14…作動杆、  15…バネ、  16…支持板、  17…ワイヤー固定具、  18…ガイド孔、  19…膨出部、  20…凹所、  21…溝壁、  22…固定板、  23…ビス、  24…ガイド溝、  25…切欠部、  26…中心軸部材、  27…ビス孔、  28…貫通孔、  29…下軸部材、  30…突起、  31…ビス、  32…ベルト部、  33…締付け部、  34…転子、  35…ランプ支持杆、  36…ランプ。
【図１】
0004843380.tif 000002
【図２】
0004843380.tif 000003
【図３】
0004843380.tif 000004
【図４】
0004843380.tif 000005
【図５】
0004843380.tif 000006
【図６】
0004843380.tif 000007
【図７】
0004843380.tif 000008
【図８】
0004843380.tif 000009
【図９】
0004843380.tif 000010